(57)【要約】【課題】コントラスト比の小さいバーコードをストレスがなく読み込め、バーコード表面へのてかりによる影響を抑制し、検出レベルを向上することができるバーコード読取方法及び装置を提供する。【解決手段】バーコードに照射する光源として、少なくとも２種の光源を同時に用いるバーコード読取方法であり、バーコードに照射する光源が、赤色光からなる第１の光源及び白色光からなる第２の光源である。【選択図】図３
2007293798.tif 000002
【特許請求の範囲】
【請求項１】
光源から光を照射してバーコードを読み取るバーコード読取方法であって、
赤色光からなる第１の光源及び白色光からなる第２の光源の少なくとも２種の光源を用い、前記第１及び第２の光源から前記バーコードに同時に光を照射すること
を特徴とするバーコード読取方法。
【請求項２】
前記第１及び第２の光源は、それぞれ前記バーコードの全範囲を直接に照射することを特徴とする請求項１記載のバーコード読取方法。
【請求項３】
前記第１及び第２の光源は、前記バーコードの面に対する照射角度がそれぞれ６０〜７５°及び３０〜６０°になるように設置されることを特徴とする請求項１又は２記載のバーコード読取方法。
【請求項４】
前記第１の光源と前記バーコードの距離が、１００〜１５０ｍｍであることを特徴とする請求項１〜３のいずれかに記載のバーコード読取方法。
【請求項５】
光を照射してバーコードを読み取るバーコード読取装置であって、
前記バーコードに光を照射する光源と、
前記バーコードからの光を受光する受光部と、
を含み、
前記光源は、赤色光からなる第１の光源及び白色光からなる第２の光源の少なくとも２種を含むこと
を特徴とするバーコード読取装置。
【請求項６】
前記第１の光源は赤色ＬＥＤ又は赤色レーザを用い、前記第２の光源は白色ＬＥＤ、白熱球又はハロゲンライトを用いることを特徴とする請求項５記載のバーコード読取装置。
【請求項７】
前記第１の光源は、前記第２の光源より前記受光部の近くに設置されることを特徴とする請求項５又は６記載のバーコード読取装置。
【発明の詳細な説明】
【技術分野】
【０００１】
本発明は、バーコード読取方法及び装置に関する。
【背景技術】
【０００２】
近年、例えば、ＰＯＳシステム、データ管理等に適用するために、製品情報をバーコード化し、バーコードリーダにより読み取る方法、装置が普及している。
【０００３】
様々なバーコードに対応する汎用性の高いバーコードリーダとして、バーコードへの照射光に任意に色を変更できる単一色光を用いるバーコードリーダが提供されている（例えば特許文献１参照）。
【０００４】
ここで、バーコードリーダにおけるバーコード認識方法のフローチャートを図１に示す。
【０００５】
バーコードリーダは、ＣＣＤセンサなどの受光部を用いてバーコードを被写体として２次元画像を検知する（Ｓ１）。画像の検出開始後、信号増幅処理を行い（Ｓ２）、色合い（色差）を判別して２値化し（Ｓ３）、波形を抽出してデータとして認識し（Ｓ４）、ソフトウェアにデータを送信する（Ｓ５）。
【０００６】
そのため、従来のバーコードリーダでは、バーコードと背面が同系色の場合は、コントラスト比が低いため色合いを判別できず、バーコードを認識することができなかった。
【０００７】
また、図２に上面に光沢性を持つフィルムを貼合したバーコード１１の概略図を示す。
バーコードリーダより発する光源が、乱反射、屈折等により、バーコード表面にてかり１２を発生し、ＣＣＤセンサなどがバーコードに焦点を合わせることができずバーコード１１の内容を読み取ることが困難であった。
【特許文献１】特許第３１８７２８７号公報
【発明の開示】
【発明が解決しようとする課題】
【０００８】
本発明は、上述の実情に鑑みて提案されるものであって、コントラスト比の小さいバーコードを認識できるとともに、バーコード表面へのてかりによる影響を抑制したバーコード読取方法及び装置を提供することを目的とする。
【課題を解決するための手段】
【０００９】
上述の課題を解決するために、本願に係るバーコード読取方法は、光源から光を照射してバーコードを読み取るバーコード読取方法であって、赤色光からなる第１の光源及び白色光からなる第２の光源の少なくとも２種の光源を用い、前記第１及び第２の光源から前記バーコードに同時に光を照射する。
【００１０】
前記第１及び第２の光源は、それぞれ前記バーコードの全範囲を直接に照射することが好ましい。
【００１１】
前記第１及び第２の光源は、前記バーコードの面に対する照射角度がそれぞれ６０〜７５°及び３０〜６０°になるように設置されることが好ましい。
【００１２】
前記第１の光源と前記バーコードの距離が、１００〜１５０ｍｍであることが好ましい。
【００１３】
本願に係るバーコード読取装置は、光を照射してバーコードを読み取るバーコード読取装置であって、前記バーコードに光を照射する光源と、前記バーコードからの光を受光する受光部と、を含み、前記光源は、赤色光からなる第１の光源及び白色光からなる第２の光源の少なくとも２種を含む。
【００１４】
前記第１の光源は赤色ＬＥＤ又は赤色レーザを用い、前記第２の光源は白色ＬＥＤ、白熱球又はハロゲンライトを用いることが好ましい。
【００１５】
前記第１の光源は、前記第２の光源より前記受光部の近くに設置されることが好ましい。
【発明の効果】
【００１６】
本発明に係るバーコード読取方法及び装置によると、バーコード及び背面が同系色で、コントラスト比の小さいバーコードでもストレスなく検出することが可能となる。
【００１７】
また、本発明に係るバーコード読取方法及び装置によると、室内及び室外の通常環境下でてかりを有する光学フィルム系の基材を用いたバーコードに対してもストレスがなくバーコードを検出することが可能となる。
【発明を実施するための最良の形態】
【００１８】
本発明に係るバーコード読取方法の実施の形態を説明する。本発明に係るバーコード読取方法の概略を図３に示す。
【００１９】
バーコード読取方法では、受光部としてのＣＣＤカメラ１、第１の光源２、第２の光源３を用いる。ここで、ＣＣＤカメラ１及び第１の光源２は、信号増幅回路、２値化変換回路及び出力回路のような回路部６を含む携帯可能な市販のバーコードリーダのように一つの筐体５にて構成することができる。この場合、第２の光源３は、バーコードリーダとは別に設置する。なお、さらに第３の光源４を配置することもできる。
【００２０】
本実施の形態では、第１の光源２及び第２の光源３の２つの光源から、バーコード１１に同時に光を照射している。このような２つの光源から光を照射することが好ましいが、第３の光源４をさらに設けて３つの光源からバーコード１１に同時に光を照射することもできる。
【００２１】
本実施の形態では、第１の光源２及び第２の光源３の２つの光源から異なる角度でバーコード１１を照射している。
【００２２】
第１の光源２は、バーコード１１の面に対する照射角度θ１が６０〜７５°になるように設置することが好ましい。第２の光源３は、バーコード１１の面に対する照射角度θ２が３０〜６０°になるように設置することが好ましい。
【００２３】
これらの範囲外では、ＣＣＤカメラ１の角度が適用範囲外となるため、バーコード１１を検出することができない。
【００２４】
また、第１の光源２及び第２の光源３のバーコード１１の面に対する照射角度が同じの場合にもバーコード１１を検出することができない。これは、第２の光源３からバーコード１１の面で正反射した反射光がＣＣＤカメラ１に入射するためである。
【００２５】
本実施の形態では、バーコード１１に対して、第１の光源２及び第２の光源３を所定範囲の距離に設置している。第３の光源４を設置する場合にも同様である。
【００２６】
第１の光源２とバーコード１１の距離は、１００〜１５０ｍｍであることが好ましい。これは、ＣＣＤカメラ１の使用範囲がこれら値の範囲となっているため、この値を超えると検出できなくなるからである。また、光源とバーコード１１の距離によって、バーコード１１に照射する光量を所望の値にすることができる。
【００２７】
本実施の形態では、第１の光源２及び第２の光源３に異なる２種の光源を用いている。第１の光源２は、赤色光を発するものである。第１の光源２には、赤色ＬＥＤ又は赤色レーザを用いることができる。第２の光源３は、白色光を発するものである。第２の光源３には、白色ＬＥＤ、白熱球又はハロゲンライトを用いることができるが、大光量のハロゲンライトが好ましい。
【００２８】
図４は、ＣＣＤカメラ１、第１の光源２及び第３の光源をともに一つの筐体に組み込んだバーコード読取装置の概略的な構成を示す図である。他の部分の構成は図３と同様であるので、同一の参照符号を用いることにして説明を省略する。
【００２９】
このような構成のバーコード読取装置によると、筐体５に第１の光源２及び第２の光源３の両方を配置しているので、上述のバーコード読取方法のようにバーコードリーダと別に第２の光源を配置する必要がない。
【実施例】
【００３０】
以下、本発明の実施例を説明する。
【００３１】
（実施例１）
背面及びインクが黒のバーコード（以下黒背面バーコードとする）上面にＰＥＴフィルムを貼合したものに対し、１つの光源（ＣＣＤカメラ側赤色ＬＥＤ）、２つの光源（第１の光源：赤色ＬＥＤ、第２の光源：ハロゲンランプ）、３つの光源（第１の光源：ＬＥＤ、第２の光源：ハロゲンランプ×２）を用いて検出の検証を行った。その結果を表１に示す。これよりより２つの光源を同時に用いることにより、黒背面バーコードが検出できた。表の◎及び×は、それぞれ検出が良好及び不可であることを示している。
【００３２】
【表１】
2007293798.tif 000003
【００３３】
（実施例２）
背面黒バーコード上面にＰＥＴフィルムを貼合したものに対し、２つの光源（第１の光源：赤色ＬＥＤ、第２の光源：ハロゲンランプ）を用いて光源の角度をそれぞれ変更し、最適角度を検証した。その結果を表２に示す。これより第１の光源を６０〜７５°、第２の光源を３０°〜６０°に設定するとよいことが分かった。表の○及び×は、それぞれ可及び不可であることを示している。以下も同様である。
【００３４】
【表２】
2007293798.tif 000004
【００３５】
（実施例３）
背面黒バーコード上面にＰＥＴフィルムを貼合したものに対し、２つの光源（第１の光源：赤色ＬＥＤ、第２の光源：ハロゲンランプ）を用いて第１の光源とバーコードの距離をそれぞれ変更し、最適距離を検証した。その結果を表３に示す。これより、ＣＣＤカメラ側の第１の光源についての距離は１００〜１５０ｍｍであることが分かった
【００３６】
【表３】
2007293798.tif 000005
【００３７】
（実施例４）
背面黒バーコード上面にＰＥＴフィルムを貼合したものに対し、２つの光源（ＣＣＤカメラ側赤色ＬＥＤ、その他：ハロゲンランプ）を用いて光源の種類を変更した時の最適距離を検証した。その結果を表４に示す。これより、ＣＣＤカメラ側は赤色ＬＥＤ又は赤色レーザ、もう１方は白色ＬＥＤ又は白色光源が最も適した光源であることが分かった。
【００３８】
【表４】
2007293798.tif 000006
【００３９】
前記実施例１〜実施例４によって、コントラストが低く、かつバーコード表面にてかりのあるバーコードを本発明であるバーコード読取方法及び装置によって検出することが可能となった。
【図面の簡単な説明】
【００４０】
【図１】バーコード認識装置のバーコード認識方法を示すフローチャートである。
【図２】バーコードの上面に光沢性を有するフィルムを貼合したバーコードを示す上面図である。
【図３】バーコード読取方法を示す概略図である。
【図４】バーコード読取装置を示す概略図である。
【符号の説明】
【００４１】
１  ＣＣＤカメラ
２  第１の光源
１０  バーコード
３  第２の光源
４  第３の光源
１１  バーコード
１２  フィルムのてかり
【図１】
2007293798.tif 000007
【図２】
2007293798.tif 000008
【図３】
2007293798.tif 000009
【図４】
2007293798.tif 000010